【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
第１のトリガ信号が入力されてから第２のトリガ信号が入力されるまでの時間を計測時間として算出する時間計測装置であって、
前記第１のトリガ信号に応じて第１の信号を生成する第１の信号生成部と、
前記第２のトリガ信号に応じて第２の信号を生成する第２の信号生成部と、
前記第１の信号及び前記第２の信号の入力を受け、前記第１の信号が入力されてから前記第２の信号が入力されるまでの時間に相当するデジタル信号を生成するデジタル変換部と、
前記第１の信号及び前記第２の信号の少なくとも一方の前記デジタル変換部への入力を、予め設定された複数の遅延時間から選択された遅延時間で遅延させる時間遅延部と、
複数の前記デジタル信号に基づいて前記計測時間を算出する時間算出部と、を備え、
前記時間遅延部は、少なくとも２つの遅延時間を選択し、前記複数の遅延時間から選択される遅延時間を経時的に切り替えながら、前記第１の信号及び前記第２の信号の少なくとも一方の前記デジタル変換部への入力を遅延させる、時間計測装置。
【請求項２】
前記時間算出部は、前記デジタル信号が示す時間から、該デジタル信号に与えられた前記遅延時間を減算することにより、前記計測時間を算出する、請求項１記載の時間計測装置。
【請求項３】
前記デジタル変換部は、１つの前記第１の信号の入力に対して複数の前記第２の信号の入力を受け、各第２の信号の入力について、前記デジタル信号を生成する、請求項１又は２記載の時間計測装置。
【請求項４】
前記デジタル変換部は、前記第１の信号及び前記第２の信号の対である信号対の入力を複数受け、各信号対について、前記デジタル信号を生成する、請求項１又は２記載の時間計測装置。
【請求項５】
第１のトリガ信号が入力されてから第２のトリガ信号が入力されるまでの時間を計測時間として算出する時間計測装置であって、
前記第１のトリガ信号に応じて第１の信号を生成する第１の信号生成部と、
前記第２のトリガ信号に応じて第２の信号を生成する第２の信号生成部と、
前記第１の信号及び前記第２の信号の入力を受け、前記第１の信号が入力されてから前記第２の信号が入力されるまでの時間に相当するデジタル信号を生成するデジタル変換部と、
前記第１の信号及び前記第２の信号の少なくとも一方の前記デジタル変換部への入力を、予め設定された複数の遅延時間から選択された遅延時間で遅延させる時間遅延部と、
複数の前記デジタル信号に基づいて前記計測時間を算出する時間算出部と、を備え、
前記時間遅延部は、少なくとも２つの遅延時間を選択し、
前記時間算出部は、前記デジタル信号が示す時間から、該デジタル信号に与えられた前記遅延時間を減算することにより、前記計測時間を算出する、時間計測装置。
【請求項６】
前記デジタル変換部は、１つの前記第１の信号の入力に対して複数の前記第２の信号の入力を受け、各第２の信号の入力について、前記デジタル信号を生成する、請求項５記載の時間計測装置。
【請求項７】
前記デジタル変換部は、前記第１の信号及び前記第２の信号の対である信号対の入力を複数受け、各信号対について、前記デジタル信号を生成する、請求項５記載の時間計測装置。
【請求項８】
第１のトリガ信号が入力されてから第２のトリガ信号が入力されるまでの時間を計測時間として算出する時間計測装置であって、
前記第１のトリガ信号に応じて第１の信号を生成する第１の信号生成部と、
前記第２のトリガ信号に応じて第２の信号を生成する第２の信号生成部と、
前記第１の信号及び前記第２の信号の入力を受け、前記第１の信号が入力されてから前記第２の信号が入力されるまでの時間に相当するデジタル信号を生成するデジタル変換部と、
前記第１の信号及び前記第２の信号の少なくとも一方の前記デジタル変換部への入力を、予め設定された複数の遅延時間から選択された遅延時間で遅延させる時間遅延部と、
複数の前記デジタル信号に基づいて前記計測時間を算出する時間算出部と、を備え、
前記時間遅延部は、少なくとも２つの遅延時間を選択し、
前記デジタル変換部は、前記第１の信号及び前記第２の信号の対である信号対の入力を複数受け、各信号対について、前記デジタル信号を生成する、時間計測装置。
【請求項９】
第１のトリガ信号が入力されてから第２のトリガ信号が入力されるまでの時間を計測時間として算出する時間計測方法であって、
前記第１のトリガ信号に応じて第１の信号を生成するステップと、
前記第２のトリガ信号に応じて第２の信号を生成するステップと、
デジタル変換部によって、前記第１の信号及び前記第２の信号の入力を受け、前記第１の信号が入力されてから前記第２の信号が入力されるまでの時間に相当するデジタル信号を生成するステップと、
前記第１の信号及び前記第２の信号の少なくとも一方の前記デジタル変換部への入力を、予め設定された複数の遅延時間から選択された遅延時間で遅延させるステップと、
複数の前記デジタル信号に基づいて前記計測時間を算出するステップと、を備え、
前記遅延させるステップでは、少なくとも２つの遅延時間が選択され、前記複数の遅延時間から選択される遅延時間を経時的に切り替えながら、前記第１の信号及び前記第２の信号の少なくとも一方の前記デジタル変換部への入力を遅延させる、時間計測方法。
【請求項１０】
第１のトリガ信号が入力されてから第２のトリガ信号が入力されるまでの時間を計測時間として算出する時間計測方法であって、
前記第１のトリガ信号に応じて第１の信号を生成するステップと、
前記第２のトリガ信号に応じて第２の信号を生成するステップと、
デジタル変換部によって、前記第１の信号及び前記第２の信号の入力を受け、前記第１の信号が入力されてから前記第２の信号が入力されるまでの時間に相当するデジタル信号を生成するステップと、
前記第１の信号及び前記第２の信号の少なくとも一方の前記デジタル変換部への入力を、予め設定された複数の遅延時間から選択された遅延時間で遅延させるステップと、
複数の前記デジタル信号に基づいて前記計測時間を算出するステップと、を備え、
前記遅延させるステップでは、少なくとも２つの遅延時間が選択され、
前記計測時間を算出するステップでは、前記デジタル信号が示す時間から、該デジタル信号に与えられた前記遅延時間を減算することにより、前記計測時間を算出する、時間計測方法。
【請求項１１】
第１のトリガ信号が入力されてから第２のトリガ信号が入力されるまでの時間を計測時間として算出する時間計測方法であって、
前記第１のトリガ信号に応じて第１の信号を生成するステップと、
前記第２のトリガ信号に応じて第２の信号を生成するステップと、
デジタル変換部によって、前記第１の信号及び前記第２の信号の入力を受け、前記第１の信号が入力されてから前記第２の信号が入力されるまでの時間に相当するデジタル信号を生成するステップと、
前記第１の信号及び前記第２の信号の少なくとも一方の前記デジタル変換部への入力を、予め設定された複数の遅延時間から選択された遅延時間で遅延させるステップと、
複数の前記デジタル信号に基づいて前記計測時間を算出するステップと、を備え、
前記遅延させるステップでは、少なくとも２つの遅延時間が選択され、
前記デジタル信号を生成するステップでは、前記第１の信号及び前記第２の信号の対である信号対の入力を複数受け、各信号対について、前記デジタル信号を生成する、時間計測方法。
【請求項１２】
試料から発せられる発光の寿命を計測する発光寿命計測装置であって、
前記試料に照射される光を出力する光源と、
前記光の出力に対応する第１のトリガ信号を出力するトリガ信号発生部と、
前記試料からの発光を検出し、該検出信号を第２のトリガ信号として出力する検出器と、
前記第１のトリガ信号及び前記第２のトリガ信号の一方のトリガ信号が入力されてから他方のトリガ信号が入力されるまでの時間を計測時間として算出する時間計測装置と、
前記計測時間に基づいて、前記発光の寿命を導出する導出部と、を備え、
前記時間計測装置は、
前記一方のトリガ信号が入力され、該一方のトリガ信号に応じて第１の信号を生成する第１の信号生成部と、
前記他方のトリガ信号が入力され、該他方のトリガ信号に応じて第２の信号を生成する第２の信号生成部と、
前記第１の信号及び前記第２の信号の入力を受け、前記第１の信号が入力されてから前記第２の信号が入力されるまでの時間に相当するデジタル信号を生成するデジタル変換部と、
前記第１の信号及び前記第２の信号の少なくとも一方の前記デジタル変換部への入力を、予め設定された複数の遅延時間から選択された遅延時間で遅延させる時間遅延部と、
複数の前記デジタル信号に基づいて前記計測時間を算出する時間算出部と、を有し、
前記時間遅延部は、少なくとも２つの遅延時間を選択する、発光寿命計測装置。
【請求項１３】
前記トリガ信号発生部は、前記光源による前記光の出力を制御し、該制御信号を第１のトリガ信号として出力するパルスジェネレータである、請求項１２記載の発光寿命計測装置。
【請求項１４】
前記トリガ信号発生部は、前記光源からの前記光を検出し、該検出信号を前記第１のトリガ信号として出力する第２の検出器である、請求項１２記載の発光寿命計測装置。
【請求項１５】
前記第１のトリガ信号は前記第２の信号生成部に入力され、前記第２のトリガ信号は前記第１の信号生成部に入力される、請求項１２〜１４のいずれか一項記載の発光寿命計測装置。
【請求項１６】
試料から発せられる発光の寿命を計測する発光寿命計測装置が行う発光寿命計測方法であって、
前記試料に照射される光を出力するステップと、
前記光の出力に対応する第１のトリガ信号を出力するステップと、
前記試料からの発光を検出し、該検出信号を第２のトリガ信号として出力するステップと、
前記第１のトリガ信号及び前記第２のトリガ信号の一方のトリガ信号が入力されてから他方のトリガ信号が入力されるまでの時間を計測時間として算出するステップと、
前記計測時間に基づいて、前記発光の寿命を導出するステップと、を備え、
前記算出するステップには、
前記一方のトリガ信号に応じて第１の信号を生成するステップと、
前記他方のトリガ信号に応じて第２の信号を生成するステップと、
デジタル変換部によって、前記第１の信号及び前記第２の信号の入力を受け、前記第１の信号が入力されてから前記第２の信号が入力されるまでの時間に相当するデジタル信号を生成するステップと、
前記第１の信号及び前記第２の信号の少なくとも一方の前記デジタル変換部への入力を、予め設定された複数の遅延時間から選択された遅延時間で遅延させるステップと、
複数の前記デジタル信号に基づいて前記計測時間を算出するステップと、が含まれており、
前記遅延させるステップでは、少なくとも２つの遅延時間が選択される、発光寿命計測方法。
【請求項１７】
前記第１の信号を生成するステップでは、前記第１のトリガ信号に応じて前記第１の信号を生成し、
前記第２の信号を生成するステップでは、前記第２のトリガ信号に応じて前記第２の信号を生成する、請求項１６記載の発光寿命計測方法。
【請求項１８】
前記第１の信号を生成するステップでは、前記第２のトリガ信号に応じて前記第１の信号を生成し、
前記第２の信号を生成するステップでは、前記第１のトリガ信号に応じて前記第２の信号を生成する、請求項１６記載の発光寿命計測方法。